(57)【要約】【課題】ハンドルに防水機能を施すことなく、高い防水機能を持たせることができる電気機器収納用箱を提供する。【解決手段】筐体本体１の開口部を覆う観音開き式の両扉２を備え、両扉２は、左扉２ａの端部に対し、外側から右扉２ｂの端部を重ね合わせて閉状態となるものとし、右扉２ｂに、ハンドルと、ハンドルの操作により上下動するロッド棒４とを設けた電気機器収納用箱において、筐体本体１に、ロッド棒４の先端部を係止させて両扉２を鎖錠する係止部としての係止孔１８を有する受金具１４を設けるとともに、この係止孔１８を、両扉２の裏面と筐体本体１との間に設けられる第１パッキン１１よりも前方に配置するものとした。【選択図】図３
2016219644.tif 000002
【特許請求の範囲】
【請求項１】
筐体本体の開口部を覆う観音開き式の両扉を備え、
該両扉は、一方の扉の端部に対し、外側から他方の扉の端部を重ね合わせて閉状態となるものとし、
該他方の扉に、ハンドルと、該ハンドルの操作により上下動するロッド棒とを設けた電気機器収納用箱において、
前記筐体本体に、
前記ロッド棒の先端部を係止させて前記両扉を鎖錠する係止部を有する受部を設けるとともに、
該係止部を、
前記両扉の裏面と前記筐体本体との間に設けられる第１パッキンよりも前方に配置することを特徴とする電気機器収納用箱。
【請求項２】
前記ロッド棒を、第１パッキンと、前記両扉間に設けられる第２パッキンとにより防水される扉内部空間よりも外側位置に配置することを特徴とする請求項１記載の電気機器収納用箱。
【請求項３】
前記ロッド棒を、前記両扉の端部が重なることにより形成される重複空間に配置することを特徴とする請求項２記載の電気機器収納用箱。
【請求項４】
前記重複空間に、前記ハンドルを臨ませて配置することを特徴とする請求項３記載の電気機器収納用箱。
【発明の詳細な説明】
【技術分野】
【０００１】
本発明は、電気機器収納用箱に関するものである。
【背景技術】
【０００２】
電気機器収納用箱には、筐体本体の開口部を覆う観音開き式の両扉を備えたものがあり、このような両扉を鎖錠する構造としては、一方の扉の端部に対し、外側から他方の扉の端部を重ね合わせて閉状態とした上で、他方の扉に設けられたハンドルにより上下動するロッド棒を筐体本体の内面と係合させることにより、両扉を鎖錠するものがある（特許文献１）。
【０００３】
このような電気機器収納用箱を屋外等に設置する場合には、通常、高い防水機能が求められる。斯かる場合、特許文献１に開示された構造では、ロッド棒が筐体本体の内側に位置しているため、このロッド棒を上下動させるハンドル自体にも、ハンドルの隙間等から水が筐体内に侵入しないよう防水機能を持たせる必要があり、結果、コスト高となる問題があった。
【先行技術文献】
【特許文献】
【０００４】
【特許文献１】特開２００６−３１６４７９号公報
【発明の概要】
【発明が解決しようとする課題】
【０００５】
本発明の目的は前記した従来の問題点を解決し、ハンドルに防水機能を施すことなく、高い防水機能を持たせることができる電気機器収納用箱を提供することである。
【課題を解決するための手段】
【０００６】
上記課題を解決するためになされた本発明は、筐体本体の開口部を覆う観音開き式の両扉を備え、該両扉は、一方の扉の端部に対し、外側から他方の扉の端部を重ね合わせて閉状態となるものとし、該他方の扉に、ハンドルと、該ハンドルの操作により上下動するロッド棒とを設けた電気機器収納用箱において、前記筐体本体に、前記ロッド棒の先端部を係止させて前記両扉を鎖錠する係止部を有する受部を設けるとともに、該係止部を、前記両扉の裏面と前記筐体本体との間に設けられる第１パッキンよりも前方に配置することを特徴とするものである。
【０００７】
請求項２記載の発明は、請求項１記載の電気機器収納用箱において、前記ロッド棒を、第１パッキンと、前記両扉間に設けられる第２パッキンとにより防水される扉内部空間よりも外側位置に配置することを特徴とするものである。
【０００８】
請求項３記載の発明は、請求項２記載の電気機器収納用箱において、前記ロッド棒を、前記両扉の端部が重なることにより形成される重複空間に配置することを特徴とするものである。
【０００９】
請求項４記載の発明は、請求項３記載の電気機器収納用箱において、前記重複空間に、前記ハンドルを臨ませて配置することを特徴とするものである。
【発明の効果】
【００１０】
本発明に係る電気機器収納用箱は、筐体本体に、ロッド棒の先端部を係止させて両扉を鎖錠する係止部を有する受部を設けるとともに、この係止部を、両扉の裏面と筐体本体との間に設けられる第１パッキンよりも前方に配置するものとした。このように、係止部を、第１パッキンよりも前方に配置すれば、ロッド棒を上下動させるハンドルの隙間から水が浸入したとしても、その水が筐体内部空間まで侵入することがないものとなる。したがって、ハンドルに別途防水機能を施すことなく高い防水機能を確保することができる。
【００１１】
請求項２に係る発明のように、ロッド棒を、第１パッキンと、両扉間に設けられる第２パッキンとにより防水される扉内部空間よりも外側位置に配置するものとすれば、ハンドルの隙間から浸入した水が、両扉間の隙間を介して扉内部空間へと浸入することを防止できることとなり、筐体内部空間への水の浸入を防ぐことができるものとなる。
【００１２】
請求項３に係る発明のように、ロッド棒を、両扉の端部が重なることにより形成される重複空間に配置するものとすれば、両扉の閉塞時にロッド棒が筐体外部から視認されなくなるため、外観が良いものとなる。
【図面の簡単な説明】
【００１３】
【図１】本実施形態における両扉閉塞状態を示す斜視図である。
【図２】右扉を開いた状態を示す斜視図である。
【図３】筐体上部の断面斜視図である。
【図４】図３のロッド棒を上方に移動させた際の断面斜視図である。
【図５】筐体上部における右扉の断面図である。
【図６】筐体上部における左扉の断面図である。
【図７】右扉を省略した筐体上部の斜視図である。
【図８】右扉の裏面を示す斜視図である。
【図９】筐体上部の水平断面を下方から見た図である。
【図１０】右扉を省略した筐体下部の斜視図である。
【図１１】筐体下部における右扉の断面図である。
【発明を実施するための形態】
【００１４】
以下に本発明の好ましい実施形態を示す。なお、本明細書中における上下、左右、前後方向は図１に示す方向を指すものとする。
図１において、１は筐体本体、２は左扉２ａと右扉２ｂとからなる観音開き式の両扉である。両扉２は、左扉２ａの右端部に対し、外側から右扉２ｂの左端部を重ね合わせることにより閉状態となる。右扉２ｂの表面にはハンドル３が設けられており、図２のように右扉２ｂの裏面の上部と下部とに設けられたロッド棒４、４が、ハンドル３の操作によってそれぞれ上下動される。そして、ロッド棒４の先端部が、後述する受部としての受金具１４の係止部に係止されることで、両扉２が閉状態で鎖錠されることとなる。
【００１５】
図２に示すように、筐体本体１の開口部５の周縁には、上辺６と下辺７とからなる上下辺及び左辺８と右辺９とからなる左右辺が形成されている。そして、これら上下辺及び左右辺には、両扉２の裏面と当接して、筐体内部空間１０への水の浸入を防止する第１パッキン１１を全周に亘って設けるものとした。
【００１６】
図３のように、上辺６の上方には、垂直断面略コ字状の水切部１２が形成されている。水切部１２略中央位置、より詳細には、左扉２ａの右端部と右扉２ｂの左端部とが重なる位置にねじ孔部１３を設け、このねじ孔部１３に対し、受金具１４をねじ１５により固定するものとした。なお、両扉２の端部が重なる当該箇所には重複空間２４が形成されることとなるが、この点については後述する。また、受金具１４の固定方法はねじ孔１３に限定されず、例えば水切部１２に貫通孔を形成した上で、ボルトとナットとにより固定しても差し支えない。
【００１７】
受金具１４は、ねじ１５を挿通する貫通孔が形成された固定片１６と、この固定片１６の端部を前方に略９０°折り曲げてなる鎖錠片１７とからなり、略Ｌ字形状を有する。鎖錠片１７にはロッド棒４の先端部を係止するための係止部として係止孔１８が形成されている。以上の構成により、ハンドル３を操作してロッド棒４を上方に移動させることにより、ロッド棒４の先端部が係止孔１８に係止され、図４に示す状態となる。
【００１８】
ここで、図５及び図６に示すように、係止孔１８は、前述した第１パッキン１１よりも前方に配置するものとした。このような位置に係止孔１８が配置されることで、ハンドル３の隙間から水が浸入したとしても、第１パッキン１１の存在により、その水が筐体内部空間１０まで侵入することを防止することができる。したがって、ハンドル３に別途防水機能を施すことなく高い防水機能を確保することができる。
【００１９】
図７には、左扉２ａを示す。左扉２ａの右端部には、水平断面略コ字状の溝部１９が設けられており、この溝部１９は水切部として機能する。詳細には、屋根部２０と左扉２ａの上端との間から水が浸入した場合には、この水は筐体本体１に形成した水切部１２を伝わり、さらにこの溝部１９に導かれて、下方へ流下することとなる。また、この溝部１９の上下端部が第１パッキン１１と当接するものとしている。さらに、溝部１９の右端部は前方へ向けて垂直に立ち上げた立上辺２１により構成されている。
【００２０】
図８には、右扉２ｂを示す。右扉２ｂの裏面には、左扉２ａの右端部に設けた立上辺２１の上下端部及び前端部が当接するコ字状に筐体本体１側に折れ曲がった第２パッキン２２が設けられており、さらにロッド棒４は第２パッキン２２よりも左側に設けられている。したがって、両扉２を閉塞した際には、図９に示す状態となり、ロッド棒４が第１パッキン１１と第２パッキン２２とにより防水される扉内部空間２３よりも外側位置に配置されることとなる。これにより、ハンドル３の隙間から浸入した水が、両扉２間の隙間を介して扉内部空間２３へと浸入することを防止できることとなり、筐体内部空間１０への水の浸入を防ぐことができるものとなる。
【００２１】
図９に示すように、左扉２ａの右端部に設けられた溝部１９と、水平断面略Ｌ字形状に形成された右扉２ａの左端部との間には、両扉２の閉塞時に両端部が重なることにより重複空間２４が形成される。この重複空間２４は、溝部１９の構造について説明したように、水切部として機能するものである。そして、ハンドル３をこの重複空間２４に臨むよう右扉２ｂの表面に配置し、さらに受金具１４に形成した鎖錠片１７及び鎖錠片１７に係止されるロッド棒４を、この重複空間２４に配置するものとした。これにより、両扉２の閉塞時にロッド棒４及び鎖錠片１７が筐体外部から視認されなくなり、外観が良いものとなる。また、ロッド棒４と筐体内部空間１０との間が左扉２ａにより隔てられるため、充分な絶縁距離を確保することもできる。
【００２２】
本実施形態では、受金具１４を別部材として構成したが、例えば筐体本体１と一体形成しても差し支えない。斯かる場合、固定片１６は不要となる。また、受金具１４の鎖錠片１７に形成した係止孔１８は、貫通孔に限定されず、切欠孔とすることもできる。
【００２３】
以上に示した構造は、図１０及び図１１に示すように電気機器収納用箱の下部においても同様であり、図１に示すハンドル３を操作してロッド棒４を下方に移動させることにより、ロッド棒４の先端部が受金具１４の係止孔１８に係止され、両扉２が閉状態で鎖錠されることとなる。
【符号の説明】
【００２４】
１  筐体本体
２  両扉
２ａ  左扉
２ｂ  右扉
３  ハンドル
４  ロッド棒４
５  開口部
６  上辺
７  下辺
８  左辺
９  右辺
１０  筐体内部空間
１１  第１パッキン
１２  水切部
１３  ねじ孔部
１４  受金具
１５  ねじ
１６  固定片
１７  鎖錠片
１８  係止孔
１９  溝部
２０  屋根部
２１  立上辺
２２  第２パッキン
２３  扉内部空間
２４  重複空間
【図１】
2016219644.tif 000003
【図２】
2016219644.tif 000004
【図３】
2016219644.tif 000005
【図４】
2016219644.tif 000006
【図５】
2016219644.tif 000007
【図６】
2016219644.tif 000008
【図７】
2016219644.tif 000009
【図８】
2016219644.tif 000010
【図９】
2016219644.tif 000011
【図１０】
2016219644.tif 000012
【図１１】
2016219644.tif 000013